(57)【要約】【課題】複合サッシ全体の美観を損なわず、樹脂框と一体感をもたせ意匠性を高めたサッシ用グレチャンを提供することを目的とする。【解決手段】内部に空洞部１４が形成されると共に上面にガラス体の差込溝１５が形成されて断面略Ｕ字状としてなる、複合サッシ框１２０に取付けられるサッシ用グレチャンにおいて、グレチャン本体１０を樹脂材にて形成すると共に、その下半部２２と屋内側上半部２１ａの樹脂材料を同系統としつつ、上記グレチャン本体１０の屋内側上半部２１ａの樹脂材料に着色物質を含有させてグレチャン本体１０の下半部２２と屋内側上半部２１ａを相互に表面色を異ならせてなり、上記屋内側上半部２１ａの表面色を上記複合サッシ框１２０を構成する樹脂框１２０ｂと略同色としてなることを特徴とするサッシ用グレチャン。【選択図】　図３
2004131995.tif 000002
【特許請求の範囲】
【請求項１】
内部に空洞部が形成されると共に上面にガラス体の差込溝が形成されて断面略Ｕ字状としてなる、複合サッシ框に取付けられるサッシ用グレチャンにおいて、グレチャン本体を樹脂材にて形成すると共に、その下半部と屋内側上半部の樹脂材料を同系統としつつ、その構成要素を任意に異ならしめて相互に表面色を異ならせてなり、
上記屋内側上半部の表面色を上記複合サッシ框を構成する樹脂框と略同色としてなることを特徴とするサッシ用グレチャン。
【請求項２】
内部に空洞部が形成されると共に上面にガラス体の差込溝が形成されて断面略Ｕ字状としてなる、複合サッシ框に取付けられるサッシ用グレチャンにおいて、グレチャン本体を樹脂材にて形成すると共に、その下半部と屋内側上半部及び屋外側上半部の樹脂材料を同系統としつつ、その構成要素を任意に異ならしめて相互に表面色を異ならせてなり、
上記屋内側上半部と屋外側上半部の表面色を上記複合サッシ框を構成する樹脂框と略同色としてなることを特徴とするサッシ用グレチャン。
【請求項３】
上記グレチャン本体の屋内側上半部、又は屋内側上半部と屋外側上半部の樹脂材料に着色物質を含有させることにより、グレチャン本体の下半部と相互に表面色を異ならせてなることを特徴とする請求項１又は２記載のサッシ用グレチャン。
【請求項４】
上記グレチャン本体の屋内側上半部、又は屋内側上半部と屋外側上半部の樹脂材料に木片粉を含有させて木質の色調とし、これにより上記複合サッシ框を構成する樹脂框と略同色調としてなることを特徴とする請求項１又は２記載のサッシ用グレチャン。
【発明の詳細な説明】
【０００１】
【発明の属する技術分野】
本発明は、サッシの框体にガラス体を固定するサッシ用グレチャン（グレージングチャンネル）に関し、特に露出部分の意匠性を高めたサッシ用グレチャンに関する。
【０００２】
【従来の技術】
近年、サッシは断熱性の向上や屋内側の意匠性の向上のために、金属枠や金属框の屋内側露出部分を、例えば木質調の色調等に着色された樹脂枠や樹脂框で覆った複合サッシが広く用いられている。このようなサッシの框体に納められるガラス体の外周には、樹脂等からなるグレージングチャンネル（以下グレチャンという）を四周に渡って設けている。グレチャンを設けることにより、ガラス周縁部を保護すると共にシール性を確保することができる。このようなガラス体を框体に固定するためのグレチャンとしては、例えば特開平１０−３１７８０５がある。
【０００３】
【発明が解決しようとする課題】
ところで、従来このようなグレチャンは、黒色や灰色等、複合サッシの樹脂部分の色とは関連性のない無機質な色で形成されている。そのため、金属枠や金属框の屋内側露出部分を樹脂枠や樹脂框で覆って意匠性を高めたとしても、グレチャンの露出部分が美観を損ねていた。
【０００４】
本発明は以上の問題点を鑑みてなされたものであり、複合サッシ全体の美観を損なわずに、樹脂框と一体感をもたせ意匠性を高めたサッシ用グレチャンを提供することを目的とする。
【０００５】
【課題を解決するための手段】
上記課題を解決するため本発明は、内部に空洞部が形成されると共に上面にガラス体の差込溝が形成されて断面略Ｕ字状としてなる、複合サッシ框に取付けられるサッシ用グレチャンにおいて、グレチャン本体を樹脂材にて形成すると共に、その下半部と屋内側上半部の樹脂材料を同系統としつつ、その構成要素を任意に異ならしめて相互に表面色を異ならせてなり、上記屋内側上半部の表面色を上記複合サッシ框を構成する樹脂框と略同色としてなることを特徴として構成されている。
【０００６】
また本発明は、内部に空洞部が形成されると共に上面にガラス体の差込溝が形成されて断面略Ｕ字状としてなる、複合サッシ框に取付けられるサッシ用グレチャンにおいて、グレチャン本体を樹脂材にて形成すると共に、その下半部と屋内側上半部及び屋外側上半部の樹脂材料を同系統とすると共に、その構成要素を任意に異ならしめて相互に表面色を異ならせてなり、上記屋内側上半部と屋外側上半部の表面色を上記複合サッシ框を構成する樹脂框と略同色としてなることを特徴として構成されている。
【０００７】
また本発明は、上記グレチャン本体の屋内側上半部、又は屋内側上半部と屋外側上半部の樹脂材料に着色物質を含有させることにより、グレチャン本体の下半部と相互に表面色を異ならせてなることを特徴として構成されている。
【０００８】
また本発明は、上記グレチャン本体の屋内側上半部、又は屋内側上半部と屋外側上半部の樹脂材料に木片粉を含有させて木質の色調とし、これにより上記複合サッシ框を構成する樹脂框と略同色調としてなることを特徴として構成されている。
【０００９】
【発明の実施の形態】
以下、本発明の実施の形態について図面を参照しながら詳細に説明する。まず第一の実施形態について説明する。図１、図２はそれぞれ、第一の実施形態におけるグレチャンを用いたサッシの縦断面図、横断面図を示している。これら各図においてサッシは、建物の躯体１００に固定される上枠１１１、下枠１１２、及び縦枠１１３、１１３からなる枠体１１０内に、上框１２１、下框１２２、及び縦框１２３、１２３を枠組みした框体１２０にグレチャン本体１０を取付けた単板ガラス１３０に納めた一対の障子を、引違い状に走行自在に納めてなるものである。
【００１０】
このサッシは、従来の複層ガラスを納めた複合サッシと同様の構造を有してなるものである。枠体１１０を構成する各枠材は、複合型の枠材であり、ベースとなる金属枠１１０ａとその屋内側露出部分を覆う樹脂枠１１０ｂとから構成されている。金属枠１１０ａは、金属上枠１１４、金属下枠１１５、金属縦枠１１６、１１６を方形に枠組みして構成され、樹脂枠１１０ｂは、樹脂上枠１１７、樹脂下枠１１８、樹脂縦枠１１９、１１９を方形に枠組みして構成されている。
また、框体１２０は上記枠体１１０と同様に、金属框１２０ａとその屋内側露出部分を覆うように取付けられた樹脂框１２０ｂとからなる複合型の框材によって構成され、樹脂上框１２７は金属上框１２４に、樹脂下框１２８は金属下框１２５に、樹脂縦框１２９は金属縦框１２６に、それぞれ取付けられている。このような框体１２０に単板ガラス１３０を納めるために、本発明におけるグレチャン本体１０を使用する。
【００１１】
図３は、本実施形態におけるグレチャンを取付けた金属下框１２５周辺の拡大図を示している。なお、ここでは金属下框１２５に取付けたグレチャン本体１０について説明する。ただし、金属上框１２４、金属縦框１２６、１２６にも同様にグレチャン本体１０が取付けられる。
【００１２】
グレチャン本体１０は、複合サッシに単板ガラスを取付けるために使用されるもので、天面部１１と底面部１２及び左右の側面部１３、１３により断面形状略Ｕ字状とされてなると共に、単板ガラス１３０を保持するガラス保持部１４が形成されている。ガラス保持部１４は、天面部１１の略中央に開口部１５を有し、この開口部１５から溝状に形成されている。
【００１３】
左右の側面部１３、１３における上半分の垂直方向に延びた部分には、それぞれサッシ固定溝１３ａ、１３ａが形成されており、グレチャンの取付けの際には、框体１２０のガラス挟持部１５２の先端部に内側に向かって設けられた係合部１５２ａを係合させてグレチャン本体１０を挟持する。
【００１４】
ここで、このようなグレチャン本体１０を上半部２１と下半部２２とに分けて、以下に説明するようにその構成要素を異にする。即ち、サッシ固定溝１３ａ、１３ａより上部を上半部２１、下部を下半部２２とする。ただし、この境界はサッシ固定溝１３ａ、１３ａの位置に限定されることなく、側面部１３、１３の上下方向の範囲で変更可能である。さらに上半部２１は屋内側上半部２１ａと屋外側上半部２１ｂに分けられる。
【００１５】
グレチャン本体１０は押し出し型材にて樹脂成型する。樹脂材料は具体的には塩化ビニル、ポリエチレン、ＡＢＳ樹脂等である。また、樹脂材料は廃材となった樹脂を再利用したものを用いる。ここで、グレチャン本体１０を押し出し成型する際に、上半部２１には框体１２０を構成する樹脂框１２０ｂと略同色の着色物質たる顔料を混ぜて樹脂框１２０ｂと略同色にする。なお本実施形態では上半部２１、即ち屋内側上半部２１ａと屋外側上半部２１ｂの色彩を樹脂框１２０ｂと略同色としたが、屋内側上半部２１ａの色彩のみを略同色とする構成でもよい。
また、着色物質は顔料以外にも、樹脂着色用染料等、樹脂材料に着色が可能なものであればどのようなものを用いてもよく、例えば樹脂框１２０ｂに着色する際に用いる着色物質と同じものを用いてもよい。
【００１６】
上半部２１は天面部１１、即ち外部に露出する部分を含んでおり、上半部２１の色彩を樹脂框１２０ｂと略同色とすることにより、グレチャン本体１０と樹脂框１２０ｂが一体感を有し、意匠性が向上する。
ここで、廃材を再利用した樹脂材料は、再生する際に不純物質が混入することがあり、新しい樹脂材料を使用する場合に比べてその色調が悪くなることがあるが、上半部２１は着色物質によって着色されており、また下半部２２はガラス挿入溝１５１内に隠れ、外部には露出しないので外観には影響しない。このように廃材を再利用することにより、資源の有効利用になると共に製造コストを下げることができる。ただし新しい樹脂材料を用いることとしてもよい。あるいは着色を行う部分のみを新しい樹脂材料を用いるようにしてもよい。
【００１７】
なお、本実施形態では上半部２１の色彩を樹脂框１２０ｂと略同色としたが、複合サッシの枠体１１０を構成する樹脂枠１１０ｂと略同色としてもよい。また必ずしも上半部２１の色彩を樹脂框１２０ｂと略同色とする必要はなく、樹脂框１２０ｂの色彩との関係で美観を有するような色彩とすることもできる。
【００１８】
また框体１２０の樹脂框１２０ｂは、和室や、洋室のフローリング等との調和を図るため、木質調の色調に着色されたものが用いられることが多く、このような樹脂框１２０ｂに合わせて、グレチャン本体１０を押し出し成型する際に、上半部２１を形成する樹脂材料に木片粉を含有させ、外観上あたかも木材で形成されているかの観を呈することもできる。これによりグレチャン本体１０と樹脂框１２０ｂに木質調の一体感を持たせることができるとともに、グレチャン本体１０自体の意匠性もより向上させることができる。
【００１９】
次に、第二の実施形態について説明する。枠体１１０及び框体１２０については第一の実施形態と同様であるので省略する。図４は、本実施形態におけるグレチャンを取付けた金属下框１２５周辺の拡大図を示している。なお、ここでは金属下框１２５に取付けたグレチャン本体３０について説明する。ただし、金属上框１２４、金属縦框１２６、１２６にも同様にグレチャン本体３０が取付けられる。
【００２０】
本実施形態におけるグレチャンは、複合サッシに単板ガラスを取付けるために使用されるもので、グレチャン本体３０の内部に形成された空洞部３４に補助グレチャン本体５０を納めた二重構造とされてなり、これらグレチャン本体３０と補助グレチャン本体５０で単板ガラス１３０を狭持する。
【００２１】
このような二重構造のグレチャンにおいても、グレチャン本体３０の上半部４１に框体１２０を構成する樹脂框１２０ｂと略同色の顔料を混ぜて樹脂框１２０ｂと略同色にすることができる。なお本実施形態では上半部４１、即ち屋内側上半部４１ａと屋外側上半部４１ｂの色彩を樹脂框１２０ｂと略同色としたが、屋内側上半部４１ａの色彩のみを略同色とする構成でもよい。
また、第一の実施形態同様、上半部４１を形成する樹脂材料に木片粉を含有させ、外観上あたかも木材で形成されているかの観を呈することもできる。
【００２２】
次に、第三の実施形態について説明する。枠体１１０及び框体１２０については第一の実施形態と同様であるので省略する。図５は、本実施形態におけるグレチャンを取付けた金属下框１２５周辺の拡大図を示している。なお、ここでは金属下框１２５に取付けたグレチャン本体６０について説明する。ただし、金属上框１２４、金属縦框１２６、１２６にも同様にグレチャン本体６０が取付けられる。
【００２３】
本実施形態におけるグレチャン本体６０は、複合サッシに単板ガラスを取付けるために使用されるもので、断面変則台形状とされてなると共に、単板ガラス１３０を保持するガラス保持部６４を形成されている。ガラス保持部６４は、中央より屋外側に開口部６５を有し、この開口部６５から溝状に形成されている。
【００２４】
このようなガラス保持部６４が一方に偏ったグレチャン本体６０においても、上半部７１に框体１２０を構成する樹脂框１２０ｂと略同色の顔料を混ぜて樹脂框１２０ｂと略同色にすることができる。なお本実施形態では上半部７１、即ち屋内側上半部７１ａと屋外側上半部７１ｂの色彩を樹脂框１２０ｂと略同色としたが、屋内側上半部７１ａの色彩のみを略同色とする構成でもよい。
また、第一の実施形態同様、上半部７１を形成する樹脂材料に木片粉を含有させ、外観上あたかも木材で形成されているかの観を呈することもできる。
【００２５】
次に、第四の実施形態について説明する。枠体１１０及び框体１２０については第一の実施形態と同様であるので省略する。図６は、本実施形態におけるグレチャンを取付けた金属下框１２５周辺の拡大図を示している。なお、ここでは金属下框１２５に取付けたグレチャン本体８０について説明する。金属上框１２４、金属縦框１２６、１２６にも同様にグレチャン本体８０が取付けられる。
【００２６】
本実施形態におけるグレチャン８０は、複合サッシに複層ガラスを取付けるために使用されるもので、底面部８１及び左右の側面部８２、８２からなる断面略Ｕ字状に形成され、その内側凹部８３に複層ガラス１３１を納めて狭持する。
【００２７】
このような複層ガラス１３１を狭持するグレチャン本体８０においても、上半部９１に框体１２０を構成する樹脂框１２０ｂと略同色の顔料を混ぜて樹脂框１２０ｂと略同色にすることができる。なお本実施形態では上半部９１、即ち屋内側上半部９１ａと屋外側上半部９１ｂの色彩を樹脂框１２０ｂと略同色としたが、屋内側上半部９１ａの色彩のみを略同色とする構成でもよい。
また、第一の実施形態同様、上半部９１を形成する樹脂材料に木片粉を含有させ、外観上あたかも木材で形成されているかの観を呈することもできる。
【００２８】
以上、本発明の実施形態について説明したが、本発明は上述の実施形態に限定されず、その技術的思想の範囲内において種々異なる形態にて実施されてよい。上述の実施形態においては複合サッシに単板ガラス又は複層ガラスを取付けるために用いるグレチャンについて説明したが、例えば単板ガラスを使用する通常のサッシに使用するグレチャンの上半部を着色し、意匠性を高めるようにしてもよい。
【００２９】
【発明の効果】
以上のように本発明は、グレチャン本体を樹脂材にて形成すると共に、その下半部と上半部の樹脂材料を同系統としつつ、その構成要素を任意に異ならしめて相互に表面色を異ならせてなり、上半部の表面色を複合サッシ框を構成する樹脂框と略同色としてなることから、グレチャン本体が複合サッシ全体の美観を損ねることがなくなると共に、グレチャン本体と樹脂框が一体感を有し、意匠性が向上する。またこのようにして、上半部の表面色を複合サッシ框を構成する樹脂框と略同色することは、あらゆるグレチャンに適用することができる。
【００３０】
また本発明は、グレチャン本体の上半部の樹脂材料に着色物質を含有させてることにより、グレチャン本体の下半部と相互に表面色を異ならせてなることから、グレチャン本体の上半部の色を任意に変更することが可能となり、種々の色彩の樹脂框と略同色とすることができる。
【００３１】
また本発明は、グレチャン本体の上半部の樹脂材料に木片粉を含有させて木質の色調とし、これにより複合サッシ框を構成する樹脂框と略同色調としてなることから、グレチャン本体と樹脂框に一体感を持たせることができると共に、グレチャン本体の外観上あたかも木材で形成されているかの観を呈することもでき、グレチャン本体自体の意匠性もより向上させることができる。
【図面の簡単な説明】
【図１】第一の実施形態におけるグレチャンを用いたサッシの縦断面図である。
【図２】第一の実施形態におけるグレチャンを用いたサッシの横断面図である。
【図３】第一の実施形態におけるグレチャンを取付けた金属下框周辺の拡大図である。
【図４】第二の実施形態におけるグレチャンを取付けた金属下框周辺の拡大図である。
【図５】第三の実施形態におけるグレチャンを取付けた金属下框周辺の拡大図である。
【図６】第四の実施形態におけるグレチャンを取付けた金属下框周辺の拡大図である。
【符号の説明】
１０　　　　　グレチャン本体
２１　　　　　上半部
２１ａ　　　　屋内側上半部
２１ｂ　　　　屋外側上半部
２２　　　　　下半部
３０　　　　　グレチャン本体
４１　　　　　上半部
４１ａ　　　　屋内側上半部
４１ｂ　　　　屋外側上半部
４２　　　　　下半部
５０　　　　　補助グレチャン本体
６０　　　　　グレチャン本体
７１　　　　　上半部
７１ａ　　　　屋内側上半部
７１ｂ　　　　屋外側上半部
７２　　　　　下半部
８０　　　　　グレチャン本体
９１　　　　　上半部
９１ａ　　　　屋内側上半部
９１ｂ　　　　屋外側上半部
９２　　　　　下半部
１１０　　　　枠体
１１０ａ　　　金属枠
１１０ｂ　　　樹脂枠
１２０　　　　框体
１２０ａ　　　金属框
１２０ｂ　　　樹脂框
１３０　　　　単板ガラス
１３１　　　　複層ガラス
【図１】
2004131995.tif 000003
【図２】
2004131995.tif 000004
【図３】
2004131995.tif 000005
【図４】
2004131995.tif 000006
【図５】
2004131995.tif 000007
【図６】
2004131995.tif 000008